(57)【要約】【課題】スティングとスタッキングができる脚付きの容器、ざる又は平板を提供することを課題とする。【解決手段】容器のフランジの下方、ざるの外縁部の下方又は平板の外周部の下方に、３以上の支脚を有し、その支脚自体もネスティングが可能であり、容器のフランジ、ざるの外縁部又は平板の外周部に、複数の容器、ざる又は平板をスタッキングしたときに上側の容器、ざる又は平板の支脚を受け止める脚受部を有し、支脚と脚受部は、上下二つの容器、ざる又は平板の相対的位置を変化させたときに、上側の容器、ざる又は平板の支脚の先端が下側の容器、ざる又は平板の脚受部の位置に来ることが可能であるように配置されており、ネスティング又は上下の二つの容器、ざる又は平板同士の間隔が狭い積み重ねとスタッキング又は上下の二つの容器、ざる又は平板同士の間隔が広い積み重ねが可能である、構成とした。【選択図】図３
2020121812.tif 000002
【特許請求の範囲】
【請求項１】
容器、ざる又は平板であって、
容器のフランジの下方、ざるの外縁部の下方又は平板の外周部の下方に、３以上の支脚を有し、
その支脚自体もネスティングが可能であり、
容器のフランジ、ざるの外縁部又は平板の外周部に、複数の容器、ざる又は平板をスタッキングしたときに上側の容器、ざる又は平板の支脚を受け止める脚受部を有し、
支脚と脚受部は、上下二つの容器、ざる又は平板の相対的位置を変化させたときに、上側の容器、ざる又は平板の支脚の先端が下側の容器、ざる又は平板の脚受部の位置に来ることが可能であるように配置されており、
ネスティング又は上下の二つの容器、ざる又は平板同士の間隔が狭い積み重ねとスタッキング又は上下の二つの容器、ざる又は平板同士の間隔が広い積み重ねが可能である、
容器、ざる又は平板。
【請求項２】
フランジを有する容器であって、
フランジの下方に容器の収容部とは独立・分離した３以上の支脚を有し、
その支脚自体もネスティングが可能であり、
フランジに、複数の容器をスタッキングしたときに上側の容器の支脚を受け止める脚受部を有し、
支脚と脚受部は、上下二つの容器の相対的位置を変化させたときに、上側の容器の支脚の先端が下側の容器の脚受部の位置に来ることが可能であるように配置されており、
ネスティングとスタッキングが可能である、
容器。
【請求項３】
ざるであって、
ざるの外縁部の下方に、３以上の支脚を有し、
その支脚自体もネスティングが可能であり、
ざるの外縁部に、複数のざるをスタッキングしたときに上側のざるの支脚を受け止める脚受部を有し、
支脚と脚受部は、上下二つのざるの相対的位置を変化させたときに、上側のざるの支脚の先端が下側のざるの脚受部の位置に来ることが可能であるように配置されており、
上下のざる同士の間隔が狭い積み重ねと上下のざる同士の間隔が広い積み重ねの二通りの積み重ねが可能である、
ざる。
【請求項４】
平板であって、
平板の外縁部の下方に、３以上の支脚を有し、
その支脚自体もネスティングが可能であり、
平板の外縁部に、複数の平板をスタッキングしたときに上側の平板の支脚を受け止める脚受部を有し、
支脚と脚受部は、上下二つの平板の相対的位置を変化させたときに、上側の平板の支脚の先端が下側の平板の脚受部の位置に来ることが可能であるように配置されており、
上下の平板同士の間隔が狭い積み重ねと上下の平板同士の間隔が広い積み重ねの二通りの積み重ねが可能である、
平板。
【発明の詳細な説明】
【技術分野】
【０００１】
この発明は、ネスティングとスタッキングができる脚付きの容器、ざる又は平板に関する。
【背景技術】
【０００２】
下側の容器と上側の容器の相対的位置関係を変化させることにより、ネスティングとスタッキングができる容器は種々考案されている。
【発明の概要】
【発明が解決しようとする課題】
【０００３】
これらの容器は、スタッキング時には、上側になる容器の側面に設けた凸部を下側になる容器のフランジで受け止めるものである。
このため、上側の容器の収容部の底面は、下側の容器のフランジ面より上に来ることはできない。
【課題を解決するための手段】
【０００４】
上記の課題を解決するために、本発明の脚付きの容器、ざる又は平板は、容器のフランジの下方、ざるの外縁部の下方又は平板の外周部の下方に、３以上の支脚を有し、その支脚自体もネスティングが可能であり、容器のフランジ、ざるの外縁部又は平板の外周部に、複数の容器、ざる又は平板をスタッキングしたときに上側の容器、ざる又は平板の支脚を受け止める脚受部を有し、支脚と脚受部は、上下二つの容器、ざる又は平板の相対的位置を変化させたときに、上側の容器、ざる又は平板の支脚の先端が下側の容器、ざる又は平板の脚受部の位置に来ることが可能であるように配置されており、ネスティング又は上下の二つの容器、ざる又は平板同士の間隔が狭い積み重ねとスタッキング又は上下の二つの容器、ざる又は平板同士の間隔が広い積み重ねが可能である、構成とした。
【発明の効果】
【０００５】
本発明の容器にあっては、収容部とは独立・分離した支脚を設けることにより、収容部の側面に凹凸をつける必要がなくなり、平坦にすることができ、清掃が容易となる。なお、このことは、容器の強度を増すため等のために収容部の側面に凹凸をつけることを否定するものではない。
【０００６】
また、支脚の高さを容器の収容部の深さ以上にすることができ、この場合、収容物がフランジ面より上まで収容された状態でもスタッキングすることができる。
【０００７】
また、支脚の高さを容器の収容部の深さ以上にした場合においては、収容部の底面と設置面又は下段の容器の収容部との間に空隙が生じるので、収容部の底面や側面に穴を設けると、収容物の乾燥に好適となる。
【０００８】
本発明のざる又は平板にあっては、他の部材を用いることなく、上下のざる又は平板同士の間に空隙を設けることができ、積載物の乾燥に好適となる。
【図面の簡単な説明】
【０００９】
【図１】本発明（請求項２）の容器の実施例の平面図である。
【図２】本発明（請求項２）の容器の実施例の側面図である。
【図３】本発明（請求項２）の容器の実施例の斜視図である。
【図４】本発明（請求項２）の容器の実施例のネスティング時の斜視図である。
【図５】本発明（請求項２）の容器の実施例のスタッキング時の斜視図である。
【図６】本発明（請求項１）容器、ざる又は平板の支脚と脚受部の実施例の斜視図である。
【図７】本発明（請求項１）容器、ざる又は平板のネスティング時の支脚と脚受部の実施例の斜視図である。
【図８】本発明（請求項１）容器、ざる又は平板のスタッキング時の支脚と脚受部の実施例の斜視図である。
【図９】本発明（請求項３）のざるの実施例の斜視図である。
【図１０】本発明（請求項３）のざるの実施例のスタッキン時の斜視図である。
【発明を実施するための形態】
【００１０】
支脚の形状は、ネスティングができる形状であればどのような形状であっても構わないが、一般的には図３に示した四角錐台や図９に示した円錐台などが考えられる。この場合、支脚の先端に穴を設けると、支脚にゴミや液体が溜まるのを一定程度防いだり、清掃がしやすくなることも考えられる。
また、図７に示したような、四角錐台の向かい合う２側面を省略した形状等が考えられる。
【００１１】
脚受部の形状は、支脚の先端の形状に合わせるものとする。
【００１２】
容器、ざる又は平板の平面形状は、図１のような四角形のほか、正方形、円、楕円なども可能であるが、正三角形や正五角形などは不適当である。なぜなら、１つの辺における支脚と脚受部の配置と逆の配置の辺が１つ必要であり、このため、辺の数は２の倍数でなければならない。
【００１３】
支脚と脚受部の位置関係は、容器、ざる又は平板の中心点を挟んで向き合う位置に支脚と脚受部を配置する。そうすれば、上下の容器、ざる又は平板相対的位置関係を２分の１回転ずらすことにより、下側の容器、ざる又は平板の脚受部に上側の容器、ざる又は平板の支脚を載せることができる。
【００１４】
円形の容器、ざる又は平板にあっては、ｎ個の支脚と脚受部をそれぞれ均等に配置すれば、上下の容器、ざる又は平板相対的位置関係を２ｎ分の１回転以内でずらすことにより、下側の容器、ざる又は平板の脚受部に上側の容器、ざる又は平板の支脚を載せることができる。
【００１５】
容器、ざる又は平板の平面形状が正方形や正八角形などの場合にあっては、必ずしも支脚と脚受部の位置関係は、容器、ざる又は平板の中心点を挟んで向き合う位置に支脚と脚受部を配置しなければならないものではない。これらの場合にあっては、辺の１つの支脚と脚受部の配置パターンとその逆の配置パターンを交互に配置してもよい。
【００１６】
支脚と脚受部は、容器、ざる又は平板を支脚で均等に支えるために交互に配置することが望ましいが、必ずしも交互に配置しなければならないものではない。
【００１７】
本発明の平板は、本発明のざるの空隙のある部分を平板に置き換えたものである。
【符号の説明】
【００１８】
１ａ    本発明の容器
１ｂ    本発明のざる
２      フランジ
３      支脚
４      脚受部
５      穴のある部分又は網
【図１】
2020121812.tif 000003
【図２】
2020121812.tif 000004
【図３】
2020121812.tif 000005
【図４】
2020121812.tif 000006
【図５】
2020121812.tif 000007
【図６】
2020121812.tif 000008
【図７】
2020121812.tif 000009
【図８】
2020121812.tif 000010
【図９】
2020121812.tif 000011
【図１０】
2020121812.tif 000012